(57)【要約】【課題】燃焼排ガスの排出方向を緩やかな上向き方向とすることで、排気口正面の植木等への影響を回避するとともに、燃焼排ガスによる装置外装の汚れを防止する。【解決手段】燃料を燃焼させる燃焼部１１と、供給された水と燃焼部１１で発生した燃焼ガスを熱交換させる熱交換器１２と、熱交換後の燃焼排ガスを外部に排出する排気口１４とを備え、前記排気口１４には燃焼排ガスの流れで回転する回転体１５を設け、燃焼排ガスの排出方向を変更するようにしたものである。【選択図】  図１
2004211983.tif 000002
【特許請求の範囲】
【請求項１】
燃料を燃焼させる燃焼部と、供給された水と燃焼部で発生した燃焼ガスを熱交換させる熱交換器と、熱交換後の燃焼排ガスを外部に排出する排気口とを備え、前記排気口には燃焼排ガスの流れで回転する回転体を設け、燃焼排ガスの排出方向を変更するようにした燃焼装置。
【請求項２】
回転体は排気口上部に位置させ、排気口下部に燃焼排ガス流出用の開口を設けた請求項１記載の燃焼装置。
【請求項３】
回転体の軸に発電装置を装着した請求項１または２記載の燃焼装置。
【発明の詳細な説明】
【０００１】
【発明の属する技術分野】
本発明は、主に家庭用の燃焼装置の排気口構成に関するものである。
【０００２】
【従来の技術】
従来の燃焼装置においては、燃焼部に連通した排気口が燃焼装置の前面上方に設けられ、燃焼部で発生した燃焼ガスは熱交換器等を経由して前記排気口より燃焼装置の前面に排出されるものであった（例えば、特許文献１参照）。
【０００３】
図４は従来の燃焼装置の斜視図、図５は断面図を示す。図４、５において、１は燃料を燃焼させる燃焼部、２は供給された水と燃焼部１で発生した燃焼ガスを熱交換をさせる熱交換部、３は熱交換部２で熱交換された後の燃焼排ガスを外部に排出する排気経路、４は排気口であり、燃焼部１で発生した燃焼ガスは、熱交換器２で熱交換され、排気経路３に導かれて装置前面に設けた排気口４よりまっすぐ前方に排出されるものであった。
【０００４】
【特許文献１】
特開２００１−１６５４３０号公報
【０００５】
【発明が解決しようとする課題】
しかし、上記従来の構成では、燃焼部１での燃焼量が大きい場合、排気口４より排出される燃焼排ガス量が多いため、排気口４の排気流速が速くなってしまう。このため、設置された燃焼装置の１側面に設けられた排気口４の正面近傍に植木等があった場合、燃焼排ガスの影響を受けて、植木が枯れるなどのトラブルが発生する場合があった。
【０００６】
このような問題を解消するため、従来品では図６に示すように、排気口４に排気ガイド５を取り付け、排気口４から出た燃焼排ガスを排気ガイド５にぶつけることで上向きに排気方向を変更するようにしたものがあった。しかし、上記のように排気ガイド５により急激に排気方向を変更する構成においては、長期間使用した場合、燃焼排ガス中に含まれるススなどによって、排気口４の上方の燃焼装置の外装が汚れるなどの問題があった。
【０００７】
また、本来、排気口４より排出された燃焼排ガスは、安全面から高温の燃焼排ガス温度を下げるためや、燃焼排ガス中の汚染物質濃度を下げるために、できるだけ早く周囲の空気に拡散させた方がいいにも関わらず、排気ガイド５を設けると、排気方向が限定されるため拡散するのに時間がかかってしまうという課題があった。
【０００８】
さらに、上向きに排気ガイド５を設けているため、雨水の侵入をガイドすることにもなり、装置内に雨水が浸入しないようにするための別の構成を取り付ける必要があった。
【０００９】
本発明は上記従来の課題を解決するもので、燃焼装置の外装を汚すことなく、排気口からの燃焼排ガスの到達距離を抑制しながら、排気口から出た燃焼排ガスの拡散を促進することを目的とする。
【００１０】
【課題を解決するための手段】
上記課題を解決するため本発明の燃焼装置は、燃料を燃焼させる燃焼部と、供給された水と燃焼部で発生した燃焼ガスを熱交換させる熱交換器と、熱交換後の燃焼排ガスを外部に排出する排気口とを備え、前記排気口には燃焼排ガスの流れで回転する回転体を設け、燃焼排ガスの排出方向を変更するようにしたものである。
【００１１】
上記発明によれば、排気口から排出される燃焼排ガスにより回転体が回転し、前記回転体の回転方向に燃焼排ガスの吹き出し方向が変化するため、燃焼排ガスは緩やかに上方に排出されることになり、排気口の正面方向への到達距離を短くすることができるとともに、素早く外気に排出することで燃焼排ガスの拡散も促進することができる。
【００１２】
また、排気口の大部分の面積を回転体の翼で遮蔽することになり、外部から雨水が吹き付けたとしても回転体の翼でせき止められることになり、装置内部への雨水の浸入を防止することができる。
【００１３】
【発明の実施の形態】
請求項１記載の発明は、燃料を燃焼させる燃焼部と、供給された水と燃焼部で発生した燃焼ガスを熱交換させる熱交換器と、熱交換後の燃焼排ガスを外部に排出する排気口とを備え、前記排気口には燃焼排ガスの流れで回転する回転体を設け、燃焼排ガスの排出方向を変更するようにしたものである。
【００１４】
そして、排気口から排出される燃焼排ガスにより回転体が回転し、前記回転体の回転方向に燃焼排ガスの吹き出し方向が変化するため、燃焼排ガスは緩やかに上方に排出されることになり、排気口の正面方向への到達距離を短くすることができるとともに、素早く外気に排出することで燃焼排ガスの拡散も促進することができる。
【００１５】
また、排気口の大部分の面積を回転体の翼で遮蔽することになり、外部から雨水が吹き付けたとしても回転体の翼でせき止められることになり、装置内部への雨水の浸入を防止することができる。
【００１６】
また、請求項２記載の発明は、回転体は排気口上部に位置させ、排気口下部に燃焼排ガス流出用の開口を設けたものである。
【００１７】
そして、排気口に燃焼排ガスの流路抵抗の少ない箇所を設け、この箇所を流れる排気速度の比較的速い燃焼排ガスにより回転体を回転させることで、スムーズに回転体が回転するようになる。
【００１８】
また、万一、回転体がロック状態になった場合でも燃焼排ガスの流れを確保することができ、排気口閉塞による装置の異常温度上昇も防止できる。
【００１９】
また、請求項３記載の発明は、回転体の軸に発電装置を装着したものである。
【００２０】
そして、燃焼装置が燃焼している間、燃焼排ガスの流れにより回転体が回転すると、発電装置によりコンデンサ等に蓄電することが可能となり、燃焼停止後の液晶表示器等への給電にしようすることで節電効果が図れる。
【００２１】
【実施例】
以下、本発明の実施例について図面を参照しながら説明する。
【００２２】
（実施例１）
図１は本発明の実施例１における燃焼装置の断面図、図２は燃焼装置の斜視図である。
【００２３】
図１、２において、１１は燃料を燃焼させる燃焼部、１２は給水された水と燃焼部１１で発生した燃焼ガスを熱交換する熱交換器、１３は前記熱交換器１２で熱交換された燃焼排ガスを燃焼装置外へ導く排気経路、１４は前記排気経路の出口に設けられた排気口、１５は前記排気口１４内に設けられた回転体であり、この回転体１５の下方に排気抵抗の少ない開口１４ａを設けた構成としている。
【００２４】
以上のように構成された燃焼装置について動作を説明すると、まず、燃焼部１１で燃焼が開始され、この燃焼部１１で発生した燃焼ガスは下流側に設けた熱交換器１２により給水された水と熱交換されて給湯口より湯として取り出される。そして、熱交換された燃焼排ガスはさらに下流側に設けられた排気経路１３を経て、排気口１４の開口１４ａより装置外に排出される。このとき排気口１４に設けられた回転体１５は、開口１４ａを流れる比較的排気速度の速い燃焼排ガスが翼に衝突することで、Ａの方向に回転することになる。そして、この回転体１５がＡ方向に回転を始めると排気経路１３より流れ出る燃焼排ガスは、回転体１５の回転方向に引っぱられながら緩やかに上向き方向に排出されることになる。
【００２５】
また、回転体１５の翼は排気口１４の大部分の開口部を遮蔽することになり、雨水が吹き付けられるような状況になっても前記回転体１５の翼で遮られ、排気口１４より装置内部に雨水が浸入するということもなくなる。
【００２６】
以上のように、排気口１４から排出される燃焼排ガスは、燃焼装置の正面方向に対する到達距離が抑制されるとともに、緩やかに上向き方向となるため、排出された燃焼排ガスで燃焼装置の外装を汚すこともなく、周囲の外気に素早く拡散することができ、さらに、雨水侵入防止も兼用できるため、安全でクリーンな燃焼装置を提供することができる。
【００２７】
（実施例２）
図３は本発明の実施例２における燃焼装置の斜視図である。
【００２８】
実施例２は上記実施例１の燃焼中における燃焼排ガス排出動作時の回転体１５の回転エネルギーを利用して発電装置を駆動させ、コンデンサ等に蓄電して燃焼停止中における液晶装置等の表示に用いようとするものである。
【００２９】
排気口１４に設けられた回転体１５の軸に発電装置１６を取り付け、この発電装置１６で発電した電気をコンデンサ等の畜電装置１７に蓄えるようにしている。そして、燃焼が停止し回転体１６の回転が止まると、畜電装置１７から操作部等に設けた液晶表示器（図示せず）に給電して表示するようにしている。
【００３０】
【発明の効果】
以上のように本発明によれば  排気口から排出される燃焼排ガスにより回転体が回転し、前記回転体の回転方向に燃焼排ガスの吹き出し方向が変化するため、燃焼排ガスは緩やかに上方に排出されることになり、排気口の正面方向への到達距離を短くすることができるとともに、素早く外気に排出することで燃焼排ガスの拡散も促進することができる。
【００３１】
また、排気口の大部分の面積を回転体の翼で遮蔽することになり、外部から雨水が吹き付けたとしても回転体の翼でせき止められることになり、装置内部への雨水の浸入を防止することができる。
【００３２】
また、回転体に発電装置を設け燃焼中の回転エネルギーを利用して畜電することで、燃焼停止中における液晶表示器等の表示電源として用いることができ、節電効果も向上する。
【図面の簡単な説明】
【図１】本発明の実施例１における燃焼装置の断面図
【図２】同装置の斜視図
【図３】本発明の実施例２における燃焼装置の斜視図
【図４】従来例の燃焼装置の斜視図
【図５】従来例の燃焼装置の断面図
【図６】他の従来例の断面図
【符号の説明】
１１  燃焼部
１２  熱交換器
１３  排気経路
１４  排気口
１５  回転体
【図１】
2004211983.tif 000003
【図２】
2004211983.tif 000004
【図３】
2004211983.tif 000005
【図４】
2004211983.tif 000006
【図５】
2004211983.tif 000007
【図６】
2004211983.tif 000008